(57)【特許請求の範囲】
【請求項１】
１つの送受信アンテナにより、外部から送信される電波を受信しながら外部へのデータ送信を行なう無線通信機能を有した無電池式の情報記憶媒体において、
送受信を行なうための１つの送受信アンテナコイルと、
この送受信アンテナコイルの両端に接続され、第１の搬送波に同調させるための同調素子と、
前記送受信アンテナコイルの両端に接続され、前記第１の搬送波を整流する、４つの整流素子をブリッジ接続してなる全波整流回路と、
この全波整流回路の出力に接続され、電流電圧変換手段を介して前記全波整流回路の出力を所定の電圧にクランプすることにより、該情報記憶媒体内で用いる安定化した電源を生成する電源生成手段と、
前記全波整流回路の出力に接続され、前記全波整流回路の出力の包絡線検波を行なうことにより受信信号を検出する包絡線検波手段と、
を具備したことを特徴とする情報記憶媒体。
【請求項２】
前記電源生成手段は、前記全波整流回路の出力に接続される電流電圧変換手段と、この電流電圧変換手段を介して前記全波整流回路の出力を所定の電圧にクランプするクランプ手段と、このクランプ手段でクランプされた電圧を平滑する平滑手段とからなることを特徴とする請求項１記載の情報記憶媒体。
【請求項３】
前記受信信号は、前記第１の搬送波の整数分の１の周波数をもつ第２の搬送波のサブキャリアで位相変調された信号を前記第１の搬送波で低変調度の振幅変調したものであって、この受信信号を前記包絡線検波手段で検出することを特徴とする請求項１記載の情報記憶媒体。
【請求項４】
前記電流電圧変換手段は抵抗で構成されていて、この電流電圧変換手段の通信可能最大距離における電圧降下は、前記電源生成手段で生成された電源の電圧に比べて小さいことを特徴とする請求項１または２記載の情報記憶媒体。
【請求項５】
１つの送受信アンテナにより、外部から送信される電波を受信しながら外部へのデータ送信を行なう無線通信機能を有した無電池式の情報記憶媒体において、
送受信を行なうための１つの送受信アンテナコイルと、
この送受信アンテナコイルの両端に接続され、第１の搬送波に同調させるための同調素子と、
前記送受信アンテナコイルの両端に接続され、前記第１の搬送波を整流する、４つの整流素子をブリッジ接続してなる全波整流回路と、
この全波整流回路の出力に接続され、電流電圧変換手段を介して前記全波整流回路の出力を所定の電圧にクランプすることにより、該情報記憶媒体内で用いる安定化した電源を生成する電源生成手段と、
前記全波整流回路の出力に接続され、前記全波整流回路の出力の包絡線検波を行なうことにより受信信号を検出する包絡線検波手段と、
この包絡線検波手段の出力から直流成分を除去する直流分除去手段と、
この直流分除去手段で直流成分を除去された前記包絡線検波手段の出力を所定の増幅度で増幅する増幅手段と、
この増幅手段の出力から第１の搬送波成分を除去するフィルタ手段と、
このフィルタ手段で第１の搬送波成分を除去された前記増幅手段の出力を２値化する２値化手段と、
を具備したことを特徴とする情報記憶媒体。
【請求項６】
１つの送受信アンテナにより、外部から送信される電波を受信しながら外部へのデータ送信を行なう無線通信機能を有した無電池式の情報記憶媒体において、
送受信を行なうための１つの送受信アンテナコイルと、
この送受信アンテナコイルの両端に接続され、第１の搬送波に同調させるための同調素子と、
前記送受信アンテナコイルの両端に接続され、前記第１の搬送波を整流する、４つの整流素子をブリッジ接続してなる全波整流回路と、
この全波整流回路の出力に接続され、電流電圧変換手段を介して前記全波整流回路の出力を所定の電圧にクランプすることにより、該情報記憶媒体内で用いる安定化した電源を生成する電源生成手段と、
前記送受信アンテナコイルで第１の搬送波を受信し、この第１の搬送波の整数分の１の周波数をもつ第３の搬送波を生成する第３の搬送波生成手段と、
この第３の搬送波生成手段で生成された第３の搬送波と送信データとの排他的論理和をとることにより位相変調信号を得る排他的論理和手段と、
この排他的論理和手段で得られる位相変調信号、および、それをインバータで反転させた反転位相変調信号の各電圧をそれぞれ所定の電流値に変換する定電流回路を前記送受信アンテナコイルの両端にそれぞれ接続してなり、前記第１の搬送波を受信中に前記位相変調信号に応じた所定の電流で前記送受信アンテナコイルの両端をプッシュプル駆動することにより送信を行なわせる定電流駆動手段と、
を具備したことを特徴とする情報記憶媒体。
【請求項７】
前記第３の搬送波生成手段は、前記送受信アンテナコイルで受信した第１の搬送波を２値化する２値化手段を有し、この２値化手段から得られる第１の搬送波の２値化信号を分周することにより、第１の搬送波の整数分の１の周波数をもつ第３の搬送波を生成することを特徴とする請求項６記載の情報記憶媒体。
【請求項８】
前記位相変調信号および反転位相変調信号に対して、送信をオン、オフ制御する送信制御信号にてそれぞれ論理積をとることにより、送信時以外には前記それぞれの電圧電流変換を行なう定電流回路の出力をオフとすることを特徴とする請求項６記載の情報記憶媒体。
【請求項９】
前記位相変調信号および反転位相変調信号からそれぞれ第３の搬送波の高調波成分を除去するフィルタ手段を更に具備し、この各フィルタ手段の出力を前記各定電流回路にそれぞれ入力させることを特徴とする請求項６記載の情報記憶媒体。
【請求項１０】
前記送受信アンテナコイルの第３の搬送波の周波数でのインピーダンスが、前記全波整流回路の出力に接続された前記電流電圧変換手段のインピーダンスよりも小さくなるように構成したことを特徴とする請求項６記載の情報記憶媒体。
【発明の詳細な説明】
【０００１】
【発明の属する技術分野】
本発明は、たとえば、無電池式の無線カードや無線タグなど、携帯可能な無線通信機能を有した無電池式の情報記憶媒体に関する。
【０００２】
【従来の技術】
最近、携帯可能な無線通信機能を有した無電池式の情報記憶媒体として、いわゆる無電池式の無線カードが開発され、実用化されつつある。この種の無線カードを用いた無線カードシステムでは、無線カードリーダ・ライタを用いて、無線カードとの間で無線による送受信を行なうことにより、無線カードに対して電力の送信やデータの送信および受信など、所定の情報処理を行なうようになっている。
【０００３】
ところで、このような無線カードにおいて、無線カードリーダ・ライタから送信される電波による電力を受信しながら、無線カードリーダ・ライタに対してデータを変調して送信を行なう方式として、たとえば、図５に示す回路が知られている。
【０００４】
図５の回路について説明すると、１は無線カードの送受信アンテナコイルで、その両端には同調コンデンサ２が接続されるとともに、ダイオードＤ１〜Ｄ４をブリッジ接続してなる全波整流回路３の交流入力端が接続される。全波整流回路３の一方の直流出力端（負側）は接地され、他方の直流出力端（正側）はシリーズレギュレータあるいはシャントレギュレータからなる安定化電源回路４に接続され、この安定化電源回路４で無線カード内の各回路に供給する電源が生成される。
【０００５】
送受信アンテナコイル１の一端は復調回路５の入力端に接続され、復調回路５の出力端は制御ロジック回路６に接続されている。制御ロジック回路６には、受信データや送信データなどを記憶するメモリ７が接続されている。
【０００６】
送受信アンテナコイル１の両端には、抵抗８とアナログスイッチング素子９との直列回路が接続される。アナログスイッチング素子９は、変調回路１０からの変調された送信データによってオン、オフ制御される。変調回路１０の入力端は制御ロジック回路６に接続されている。
【０００７】
このような構成において、送受信アンテナコイル１で受信した搬送波は全波整流回路３で整流され、この整流出力に基づき安定化電源回路４で電源が生成され、各回路に供給されるとともに、復調回路５は、送受信アンテナコイル１の一端から得られる受信電圧を復調し、制御ロジック回路６へ送る。
【０００８】
一方、制御ロジック回路６は、メモリ７から送信データを読出して変調回路１０へ送り、変調回路１０で変調し、変調した送信データに応じてアナログスイッチング素子９をオン、オフ制御することにより、送信を行なう。
【０００９】
【発明が解決しようとする課題】
安定化電源回路をシリーズレギュレータで構成した場合、無線カードリーダ・ライタと無線カードとの通信距離が短くなると、無線カードリーダ・ライタから無線カードへ放射される電波の磁界強度Ｅは、距離をｄとすると、Ｅ∝１／ｄ3 の関係があり、送受信アンテナコイルでの搬送波受信電圧が非常に高くなり、ワンチップＬＳＩで構成される回路の耐圧が大きな問題となる。
【００１０】
また、安定化電源回路をシャントレギュレータで構成した場合、送受信アンテナコイルでの搬送波受信電圧はシャントレギュレータの電圧にクランプされ、この結果、低変調度の振幅変調信号の受信検波や送信がうまく行なえないという問題を有している。
【００１１】
そこで、本発明は、ワンチップＬＳＩ化した場合の耐圧問題を解決するとともに、低変調度の振幅変調信号の検波を確実に行なうことができるとともに、送信を効率よく行なうことができ、さらに、全二重通信を確実に行なうことができる無線通信機能を有した無電池式の情報記憶媒体を提供することを目的とする。
【００１２】
【課題を解決するための手段】
本発明の情報記憶媒体は、１つの送受信アンテナにより、外部から送信される電波を受信しながら外部へのデータ送信を行なう無線通信機能を有した無電池式の情報記憶媒体において、送受信を行なうための１つの送受信アンテナコイルと、この送受信アンテナコイルの両端に接続され、第１の搬送波に同調させるための同調素子と、前記送受信アンテナコイルの両端に接続され、前記第１の搬送波を整流する、４つの整流素子をブリッジ接続してなる全波整流回路と、この全波整流回路の出力に接続され、電流電圧変換手段を介して前記全波整流回路の出力を所定の電圧にクランプすることにより、該情報記憶媒体内で用いる安定化した電源を生成する電源生成手段と、前記全波整流回路の出力に接続され、前記全波整流回路の出力の包絡線検波を行なうことにより受信信号を検出する包絡線検波手段とを具備している。
【００１３】
また、本発明の情報記憶媒体は、１つの送受信アンテナにより、外部から送信される電波を受信しながら外部へのデータ送信を行なう無線通信機能を有した無電池式の情報記憶媒体において、送受信を行なうための１つの送受信アンテナコイルと、この送受信アンテナコイルの両端に接続され、第１の搬送波に同調させるための同調素子と、前記送受信アンテナコイルの両端に接続され、前記第１の搬送波を整流する、４つの整流素子をブリッジ接続してなる全波整流回路と、この全波整流回路の出力に接続され、電流電圧変換手段を介して前記全波整流回路の出力を所定の電圧にクランプすることにより、該情報記憶媒体内で用いる安定化した電源を生成する電源生成手段と、前記全波整流回路の出力に接続され、前記全波整流回路の出力の包絡線検波を行なうことにより受信信号を検出する包絡線検波手段と、この包絡線検波手段の出力から直流成分を除去する直流分除去手段と、この直流分除去手段で直流成分を除去された前記包絡線検波手段の出力を所定の増幅度で増幅する増幅手段と、この増幅手段の出力から第１の搬送波成分を除去するフィルタ手段と、このフィルタ手段で第１の搬送波成分を除去された前記増幅手段の出力を２値化する２値化手段とを具備している。
【００１４】
さらに、本発明の情報記憶媒体は、１つの送受信アンテナにより、外部から送信される電波を受信しながら外部へのデータ送信を行なう無線通信機能を有した無電池式の情報記憶媒体において、送受信を行なうための１つの送受信アンテナコイルと、この送受信アンテナコイルの両端に接続され、第１の搬送波に同調させるための同調素子と、前記送受信アンテナコイルの両端に接続され、前記第１の搬送波を整流する、４つの整流素子をブリッジ接続してなる全波整流回路と、この全波整流回路の出力に接続され、電流電圧変換手段を介して前記全波整流回路の出力を所定の電圧にクランプすることにより、該情報記憶媒体内で用いる安定化した電源を生成する電源生成手段と、前記送受信アンテナコイルで第１の搬送波を受信し、この第１の搬送波の整数分の１の周波数をもつ第３の搬送波を生成する第３の搬送波生成手段と、この第３の搬送波生成手段で生成された第３の搬送波と送信データとの排他的論理和をとることにより位相変調信号を得る排他的論理和手段と、この排他的論理和手段で得られる位相変調信号、および、それをインバータで反転させた反転位相変調信号の各電圧をそれぞれ所定の電流値に変換する定電流回路を前記送受信アンテナコイルの両端にそれぞれ接続してなり、前記第１の搬送波を受信中に前記位相変調信号に応じた所定の電流で前記送受信アンテナコイルの両端をプッシュプル駆動することにより送信を行なわせる定電流駆動手段とを具備している。
【００１５】
【発明の実施の形態】
以下、本発明の実施の形態について図面を参照して説明する。
図１は、本発明に係る情報記憶媒体としての無線カードが適用される無線カードシステムの構成を示すものである。この無線カードシステムは、携帯可能な無線通信機能を有する無電池式の無線カード１００と、外部装置としての無線カードリーダ・ライタ２００とに大別される。
【００１６】
無線カード１００は、無線カードリーダ・ライタ２００からのコマンドの解読、データの書込み、データの送信などを行なうもので、ループ状の送受信アンテナコイル１０１、無線カード１００内の各回路に与える安定化電源を生成する電源回路１０２、受信データの復調を行なう復調回路１０３、送信データの変調を行なう変調回路１０４、送信データや受信データなどを記憶する不揮発性のメモリ１０５、および、これらの制御を行なうＣＰＵなどからなる制御ロジック回路１０６などによって構成されている。
【００１７】
無線カードリーダ・ライタ２００は、無線カード１００への読出し、書込みコマンドの送信、読出しデータの処理、書込みデータの送信、電力波の送信などを行なうもので、送信アンテナコイル２０１、送信アンテナコイル２０１を駆動するドライバ２０２、送信データの変調を行なう変調回路２０３、受信アンテナコイル２０４、受信アンテナコイル２０４の出力を増幅する増幅回路２０５、受信データの復調を行なう復調回路２０６、および、これらの制御を行なうＣＰＵなどからなる制御回路２０７によって構成されている。
【００１８】
このような構成において、まず、無線カード１００側の動作について説明する。送受信アンテナ１０１で受信された受信信号は、電源回路１０２で整流、平滑、安定化されることにより安定化電源が生成され、各回路に供給される。また、この受信信号は、復調回路１０３で復調された後、制御ロジック回路１０６に送られ、制御ロジック回路１０６でコマンドの解読とともにデータの読出しや書込みが行なわれる。
【００１９】
また、制御ロジック回路１０６は、メモリ１０５から送信データを読出して変調回路１０４へ送り、変調回路１０４で変調した後、送受信アンテナ１０１に供給することにより、送信を行なう。
【００２０】
次に、無線カードリーダ・ライタ２００側の動作について説明する。制御回路２０７は、読出しコマンドあるいは書込みコマンドおよび書込みデータ（送信データ）を生成し、変調回路２０３へ送る。変調回路２０３では、制御回路２０７からの送信データを任意の変調方式で変調し、その変調データをドライバ２０２へ送る。ドライバ２０２では、変調データを放射するに充分な強度まで増幅した後、無線カード１００内の電源生成用の電力信号とともに、変調波として送信アンテナコイル２０１へ送り、送信を行なう。
【００２１】
また、無線カード１００からの送信電波は、受信アンテナ２０４で受信され、増幅回路２０５で増幅された後、復調回路２０６に送られる。復調回路２０６では受信信号を復調し、この復調されたデータは制御回路２０７へ送られ、ここで必要な処理（たとえば、正常に受信できたか、エラーは無いかなど）が行なわれた後、必要に応じて外部へ出力される。
【００２２】
次に、本発明の要部である無線カード１００における電源回路１０２、復調回路１０３、および、変調回路１０４の部分について、図２を参照して詳細に説明する。
【００２３】
図２において、送受信アンテナコイル１０１の両端には、第１の搬送波の周波数に同調させるための同調素子としての同調コンデンサ１１が接続されるとともに、整流素子としてのダイオードＤ１１〜Ｄ１４をブリッジ接続してなる全波整流回路１２の交流入力端ａ，ｂが接続される。全波整流回路１２の一方の直流出力端（負側）ｃは接地され、他方の直流出力端（正側）ｄは、電流電圧変換手段としての抵抗などで構成される電流電圧変換回路１３を介して、クランプ手段としてのシャントレギュレータなどで構成されるクランプ回路１４に接続され、このクランプ回路１４で無線カード１００内の各回路に供給する安定化電源が生成される。
【００２４】
クランプ回路１４には、クランプされた電圧を平滑する平滑手段としての平滑コンデンサ１５が接続されている。
また、全波整流回路１２の他方の直流出力端（正側）ｄは、包絡線検波手段としての包絡線検波回路１６の入力端に接続される。包絡線検波回路１６の出力端は、直流分除去手段としてのコンデンサ１７を介して、増幅手段としての増幅回路１８の入力端に接続される。増幅回路１８の出力端は、フィルタ手段としてのローパスフィルタ（ＬＰＦ）１９を介して、２値化手段としての２値化回路２０の入力端に接続される。２値化回路２０の出力端は、制御ロジック回路１０６に接続されている。
【００２５】
送受信アンテナコイル１０１の一端と接地点との間には、定電流回路を構成するＭＯＳトランジスタ（ＦＥＴ）２１と抵抗２２との直列回路が接続され、送受信アンテナコイル１０１の他端と接地点との間には、同じく定電流回路を構成するＭＯＳトランジスタ（ＦＥＴ）２３と抵抗２４との直列回路が接続される。
【００２６】
トランジスタ２１，２３の各ゲートには、それぞれフィルタ手段としてのローパスフィルタ（ＬＰＦ）２５，２６を介してアンド回路２７，２８の各出力端がそれぞれ接続される。
【００２７】
アンド回路２７の一方の入力端には、排他的論理和回路２９の出力が入力され、他方の入力端には、制御ロジック回路１０６からの送信制御信号が入力される。アンド回路２８の一方の入力端には、排他的論理和回路２９の出力がインバータ回路３０を介して入力され、他方の入力端には、制御ロジック回路１０６からの送信制御信号が入力される。
【００２８】
排他的論理和回路２９の各入力端には、制御ロジック回路１０６からの送信データ、および、受信した第１の搬送波を整数分の１に分周した第３の搬送波信号がそれぞれ入力される。
【００２９】
また、送受信アンテナコイル１０１の他端は、２値化手段としての２値化回路３１の入力端に接続される。２値化回路３１の出力端は、制御ロジック回路１０６に接続されている。
【００３０】
次に、このような構成において、図３および図４に示す要部の信号波形図を参照して図２の動作を説明する。
送受信アンテナコイル１０１で受信された第１の搬送波の低変調度の振幅変調受信電圧Ａ（あるいはＢ）の波形を図３（ａ）に示している。同調コンデンサ１１は、送受信アンテナコイル１０１とで第１の搬送波の周波数に同調している。
【００３１】
送受信アンテナコイル１０１で受信された第１の搬送波の受信電圧Ａ（あるいはＢ）は、全波整流回路１２で整流された後、抵抗などで構成される電流電圧変換回路１３を介して、シャントレギュレータなどで構成されるクランプ回路１４に入力され、クランプ回路１４で所定の定電圧が生成され、平滑コンデンサ１５で平滑されて、各回路の電源として用いられる。
【００３２】
ここで、クランプ回路１４は、無線カードリーダ・ライタ２００との通信可能距離が最大のときには、クランプ回路１４自身の消費電流がほぼ「０」となるように動作し、通信距離が無線カードリーダ・ライタ２００と近づくにつれて、クランプ回路１４自身の消費電流が増大し、クランプ回路１４の出力は所定の定電圧に保持されるようになっている。
【００３３】
なお、通信可能距離が最大のときの電流電圧変換回路１３による電圧降下は、クランプ回路１４から出力される所定の定電圧の１０分の１から５分の１程度が望ましい。
【００３４】
このように構成することによって、全波整流回路１２の出力電圧（受信電圧）Ｃは図３（ｂ）に示すような波形となる。この出力電圧Ｃは包絡線検波回路１６に入力され、図３（ｃ）に示すような波形の検波出力Ｄが得られる。この検波出力Ｄは、第１の搬送波の整数分の１の周波数をもつ第２の搬送波で２相位相（ＢＰＳＫ）変調された変調信号であり、クランプ回路１４から出力される所定の定電圧を越えるような直流電圧成分を有している。
【００３５】
包絡線検波回路１６の出力は、コンデンサ１７を介して増幅回路１８に入力されることにより、上記直流成分がコンデンサ１７で除去された後、所定の増幅度を有した増幅回路１８で増幅が行なわれる。
【００３６】
増幅回路１８の出力は、ローパスフィルタ１９を介して２値化回路２０に入力されることにより、ローパスフィルタ１９で第１の搬送波成分の充分な除去や、全二重通信時の第３の搬送波成分の除去も合せて行なわれた後、２値化回路２０で２値化されて図３（ｄ）に示す２値化出力Ｅが得られる。
【００３７】
こうして２値化回路２０から得られる２値化出力Ｅと、２値化回路３１から得られる第１の搬送波の２値化出力とから、２相位相変調信号の復調を制御ロジック回路１０６で行なうことができる。ここで、第２の搬送波の周波数＜第３の搬送波の周波数として、全二重通信を可能となるよう構成されている。
【００３８】
以上のように構成したので、クランプ回路１４の出力は、無線カードリーダ・ライタ２００との通信距離が変わっても所定の定電圧に安定化され、電流電圧変換回路１３によって低変調度の振幅変調受信信号が電圧に変換されることにより検波できる。
【００３９】
また、この電流電圧変換回路１３としての抵抗の値を充分に小さく設定してあるので、無線カードリーダ・ライタ２００との通信距離が近づいても、送受信アンテナコイル１０１の受信電圧は充分に抑制される。
【００４０】
次に、無線カード１００からの送信に関する動作について説明する。送受信アンテナコイル１０１で第１の搬送波を受信し、２値化回路３１でその受信した第１の搬送波の２値化信号を得て、制御ロジック回路１０６でその２値化信号の分周を行なうことにより、第１の搬送波の整数分の１の周波数をもつ第３の搬送波を得るとともに、メモリ１０５から送信データを読出し、これら第３の搬送波信号および送信データを排他的論理和回路２９に送り、両信号の排他的論理和をとることにより、２相位相（ＢＰＳＫ）変調信号を得る。
【００４１】
この２相位相変調信号（排他的論理和回路２９の出力）をアンド回路２７に入力するとともに、インバータ回路３０を介して反転させ、反転２相位相変調信号を得て、アンド回路２８に入力する。ここで、制御ロジック回路１０６から、データ送信時は“１”とし、それ以外では“０”とする送信制御信号をアンド回路２７，２８に入力し、２相位相変調信号と論理積をとることにより、送信時以外ではアンド回路２７，２８の各出力は“０”となり、電圧電流変換を行なうＭＯＳトランジスタ２１，２３をオフさせる。
【００４２】
ローパスフィルタ２５，２６は、アンド回路２７，２８にそれぞれ接続され、第３の搬送波の高調波成分を除くように構成される。ローパスフィルタ２５の出力（２相位相変調信号）は、電圧信号としてＭＯＳトランジスタ２１と抵抗２２とで構成された電圧電流変換を行なう定電流回路に入力され、抵抗２２によって所定の送信電流が送受信アンテナコイル１０１の一端に供給される。
【００４３】
また、ローパスフィルタ２６の出力（反転２相位相変調信号）は、電圧信号としてＭＯＳトランジスタ２３と抵抗２４とで構成された電圧電流変換を行なう定電流回路に入力され、抵抗２４によって所定の送信電流が送受信アンテナコイル１０１の他端に供給される。これにより、送受信アンテナコイル１０１への送信電流としてプッシュプル動作が行なわれる。
【００４４】
ここで、第３の搬送波の周波数ｆ3 による送受信アンテナコイル１０１のインピーダンスを、［送受信アンテナコイル１０１のインピーダンス（２πｆ3 Ｌ）＜（電流電圧変換回路１３の抵抗値）］とすることにより、効率の良い送信電流を送受信アンテナコイル１０１に流し、送信を行なうことができる。
【００４５】
プッシュプル送信を行なっているときの送受信アンテナコイル１０１の両端における各送信電圧Ａ，Ｂの波形を図４（ａ），（ｂ）に示す。プッシュプル送信を行なっているため、図４（ａ），（ｂ）の送信電圧波形は位相が反転したものとなる。この結果、全波整流回路１２の出力に現われる送信出力電圧Ｃは、図４（ｃ）に示すようになり、相殺されて受信の包絡線検波回路１６の出力には現われない。
【００４６】
また、（第１の搬送波の周波数ｆ1 ）＞（第３の搬送波の周波数ｆ3 ）＞（第２の搬送波の周波数ｆ2 ）となるように構成されているので、（第３の搬送波の周波数ｆ3 ）×２≫（第２の搬送波の周波数ｆ2 ）となる。したがって、ローパスフィルタ１９で送信搬送波は充分に除去できる。
【００４７】
この結果、本実施の形態の構成で全二重通信が安定に行なうことができる。
以上説明したように、上記した実施の形態によれば、従来の問題点であったワンチップＬＳＩ化した場合の耐圧問題を解決するとともに、１０％あるいはそれ以下の低変調度の振幅変調信号の検波を確実に行なうことができるとともに、送信を効率よく行なうことができ、さらに、全二重通信を確実に行なうことができる。
【００４８】
すなわち、シャントレギュレータとシリーズレギュレータとの中間の動作を行なわせるように構成したので、両レギュレータのそれぞれの欠点を共に回避できる。
【００４９】
また、全波整流回路の出力に直接平滑コンデンサを接続しないで、電流電圧変換回路としての抵抗を介して平滑コンデンサを接続し、平滑安定化を行なわせるようにしたので、１０％あるいはそれ以下の低変調度の振幅変調信号の波形が正しく全波整流回路の出力に保存される。したがって、この全波整流回路の出力を検波することにより、確実に低変調度の振幅変調信号の検波を行なうことができる。
【００５０】
また、全波整流回路の出力後の信号は両波整流のため、受信した第１の搬送波の周波数の２倍の周波数となるので検波が容易となる。
また、検波後は位相変調信号となるので、発生している直流分を容易にカットでき、安定した増幅が低い電源電圧で行なうことができる。
【００５１】
また、全波整流回路の出力後の信号は、第１の搬送波の周波数に対しても、第３の搬送波の周波数に対しても２倍とするので、検波後のもれ込みに対してもローパスフィルタでの除去が容易となる。
【００５２】
送信についても、送受信アンテナコイルの端部に出力インピーダンスが充分に高い定電流回路を接続して、定電流ドライブを行なうようにしたので、効率のよい送信が行なえる。
【００５３】
また、プッシュプル送信としたので、全波整流回路の出力には相殺されて受信検波出力には現われないので、全二重通信を確実に行なえる。
また、送信時以外には定電流ドライバをオフとしたので、効率のよい受信が行なえる。
【００５４】
また、定電流回路の入力部に第３の搬送波の高調波除去フィルタを挿入したので、不要な成分の送出が抑制できる。
さらに、送受信アンテナコイルの第３の搬送波の周波数でのインピーダンスが全波整流回路の出力に接続された電流電圧変換回路のインピーダンスよりも小となるようにしたので、効率のよい送信が行なえる。
【００５５】
【発明の効果】
以上詳述したように本発明によれば、ワンチップＬＳＩ化した場合の耐圧問題を解決するとともに、低変調度の振幅変調信号の検波を確実に行なうことができるとともに、送信を効率よく行なうことができ、さらに、全二重通信を確実に行なうことができる無線通信機能を有した無電池式の情報記憶媒体を提供できる。
【図面の簡単な説明】
【図１】本発明の実施の形態に係る情報記憶媒体としての無線カードが適用される無線カードシステムの構成を示すブロック図。
【図２】無線カードの電源回路、復調回路および変調回路の部分を詳細に示す構成図。
【図３】動作を説明するための要部の信号波形を示す図。
【図４】動作を説明するための要部の信号波形を示す図。
【図５】従来の無線カードの構成を示す構成図。
【符号の説明】
１００……無線カード（情報記憶媒体）、２００……無線カードリーダ・ライタ、１０１……送受信アンテナ、１０２……電源回路、１０３……復調回路、１０４……変調回路、１０５……メモリ、１０６……制御ロジック回路、１１……同調コンデンサ（同調素子）、Ｄ１１〜Ｄ１４……ダイオード（整流素子）、１２……全波整流回路、１３……電流電圧変換回路（電流電圧変換手段）、１４……クランプ回路（クランプ手段）、１５……平滑コンデンサ（平滑手段）、１４……包絡線検波回路（包絡線検波手段）、１７……コンデンサ（直流分除去手段）、１８……増幅回路（増幅手段）、１９……ローパスフィルタ（フィルタ手段）、２０……２値化回路（２値化手段）、２１，２３……トランジスタ（定電流回路）、２２，２４……抵抗（定電流回路）、２５，２６……ローパスフィルタ（フィルタ手段）、２７，２８……アンド回路、２９……排他的論理和回路（排他的論理和手段）、３０……インバータ回路、３１……２値化回路（２値化手段）。
【図１】
0003892563.tif 000002
【図２】
0003892563.tif 000003
【図３】
0003892563.tif 000004
【図４】
0003892563.tif 000005
【図５】
0003892563.tif 000006